(57)【要約】【課題】  遊技球を払い出すための払出装置に何らかの不具合が発生した場合でも、それに伴う機構板の設計変更や交換等を容易に行うことができるとともに、該機構板に取り付けられる遊技制御基板に対する不正行為を極力防止することができる遊技機を提供すること。【解決手段】  遊技球貯留部２１１、貯留球誘導路２１０、払出装置２００、が設けられる第１の機構板部材９０１ｂと、該第１の機構板部材９０１ｂとは別個に形成され、払出球誘導路２０８が設けられる第２の機構板部材９０１ａと、を備え、固着関連部位を破壊しない限りケースカバーのケース本体に対する固着状態を解除することが出来ない固着手段により収容ケース５００のケース本体の上面開口をケースカバーにより閉塞して固着するとともに、取付関連部位を破壊しない限り収容ケース５００の第２の機構板部材９０１ａに対する取付状態を解除することが出来ない取付手段により収容ケース５００を第２の機構板部材９０１ａに取り付けた。【選択図】  図６
2005323873.tif 000002
【特許請求の範囲】
【請求項１】
遊技球を用いて遊技を行う遊技機において、
前記遊技球を払い出す払出装置と、該払出装置により払い出される遊技球を貯留するための遊技球貯留部と、該遊技球貯留部に貯留された遊技球を前記払出装置に誘導する貯留球誘導路と、が設けられる第１の機構板部材と、
前記第１の機構板部材とは別個に形成され、前記払出装置から払い出される遊技球を誘導する払出球誘導路が設けられる第２の機構板部材と、
遊技の制御を行う遊技制御手段が設けられた遊技制御基板を収容し、該遊技制御基板を収容するための開口を有するケース本体と、該ケース本体の開口を閉塞するためのケースカバーと、から構成される収容ケースと、
前記ケース本体の開口を前記ケースカバーにより閉塞して固着するための手段であって、前記ケース本体及び／または前記ケースカバーに設けられる固着関連部位を破壊しない限り前記ケース本体に対する前記ケースカバーの固着状態を解除することが出来ない固着手段と、
前記収容ケースを前記第２の機構板部材に取り付けるための手段であって、前記ケース本体及び／または前記ケースカバーに設けられる取付関連部位を破壊しない限り前記収容ケースの前記第２の機構板部材に対する取付状態を解除することが出来ない取付手段と、
を備えることを特徴とする遊技機。
【請求項２】
前記固着手段は、
前記ケース本体に対する前記ケースカバーの固着を、前記取付手段による前記収容ケースの前記第２の機構板部材に対する取り付けと共通部材にて行うことを特徴とする請求項１に記載の遊技機。
【請求項３】
前記遊技機は複数の固着手段を備え、
前記複数の固着手段は、
前記ケース本体に対する前記ケースカバーの固着を、前記取付手段による前記収容ケースの前記第２の機構板部材に対する取り付けと共通部材にて行う第１の固着手段と、
前記ケース本体に対する前記ケースカバーの固着のみを行う第２の固着手段と、
を含むことを特徴とする請求項１または２に記載の遊技機。
【請求項４】
前記払出装置の制御を行う払出制御手段が設けられた払出制御基板を、前記遊技制御基板とともに前記収容ケース内に収容した請求項１〜３のいずれかに記載の遊技機。
【請求項５】
前記遊技機は、前記遊技球を用いて１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能な遊技球を用いたスロットマシンであって、
前記第２の機構板部材に設けられた設置部に設置され、機種固有に使用される前記可変表示装置を含む可変表示ユニットと、
前記可変表示ユニットの前側に設置されるとともに、機種固有の装飾が施される装飾パネルユニットと、
前記装飾パネルユニットを前記可変表示ユニットの前面を被覆した状態で該可変表示ユニットに係止するための手段であって、前記装飾パネルユニットによる前記可変表示ユニットの被覆状態を解除して前記可変表示ユニットの前面を露出させることが可能な係止解除状態と、露出させることが不可能な係止状態と、に切替可能な係止手段と、
前記係止手段を前記係止状態としたまま、前記可変表示ユニットを前記設置部に取り付けるためのユニット取付手段と、を備え、
前記可変表示ユニットが前記設置部に取り付けられた状態で、所定の操作により前記係止手段を前記係止状態から前記係止解除状態へ切替え、前記装飾パネルユニットによる前記可変表示ユニットの被覆状態を解除して前記可変表示ユニットの前面を露出可能に構成されている請求項１〜４のいずれかに記載の遊技機。
【発明の詳細な説明】
【技術分野】
【０００１】
本発明は、遊技球を用いて遊技を行う遊技機に関する。
【背景技術】
【０００２】
従来、この種の遊技機には、遊技の制御を行う遊技制御手段が設けられた遊技制御基板が備えられており、このような遊技制御基板は、不正な処理を施されたり、不正な改造が施された遊技制御基板にすり替えられる虞があることから、収容ケースに収容した状態で遊技機に取り付けられており、特に収容ケースを開放、あるいは収容ケースを取り外したときにはその痕跡が残るように取り付けられている（例えば、特許文献１参照）。
【０００３】
一方、この種の遊技機には、例えば入賞等の発生に基づいて遊技球を払い出すための各種機構、具体的には賞球を貯留する貯留タンクや、該貯留タンクの遊技球を下流側に整列しながら誘導する誘導レールや、該誘導レールにて誘導された遊技球を入賞の発生に基づいて払い出す払出装置等が設けられる機構板が備えられている。このような機構板においては、合成樹脂によって一体成型された機構板上に遊技球等を払い出すための各種機構を装着または固定することにより構成されており、成形金型が大型化することに基づく成型の困難性を生ずるとともに、僅かな設計変更の必要が生ずるという欠点があったため、機構板を分割形成して、成型の困難性を解消するとともに、一部の機構の設計変更に伴う機構板の変更を容易に行うことができるもの等が提案されている（例えば、特許文献２参照）。
【０００４】
【特許文献１】特開２００２−５８７８６号公報（第５−６頁、第３−５図）
【特許文献２】特開平０６−１８２０４３号公報（第２−３頁、第１図）
【発明の開示】
【発明が解決しようとする課題】
【０００５】
しかしながら、遊技球を払い出す払出装置等が設けられる機構板に対して遊技制御基板を収容した収容ケースを、上記特許文献１に記載されるように、ケースを開放あるいはケースを機構板から取り外したときにはその痕跡が残るように取り付ける場合、例えば前記機構板に設けられる払出装置等に何らかの不具合が生じて該機構板を交換する必要が生じたときに、該機構板が１枚の機構板にて構成されている場合には機構板全体を交換する必要があるばかりか、前記収容ケースを該機構板から一旦取り外さなければならない。
【０００６】
このように収容ケースを機構板から一旦取り外すことになると、不正な改造が施された遊技制御基板を収容した収容ケースにすり替える等の不正行為が行われる危険性が高まるといった問題があった。
【０００７】
また、上記特許文献２に記載されるように機構板が分割形成されるものであっても、払出装置が設けられた機構板に前記収容ケースを取り付けると、払出装置等の不具合により該機構板を交換する必要が生じたときに前述と同様の問題が生じることになる。
【０００８】
本発明は、このような問題点に着目してなされたもので、遊技球を払い出す払出装置に何らかの不具合が発生した場合でも、それに伴う機構板の交換等を容易に行うことができるとともに、該機構板に取り付けられる遊技制御基板に対する不正行為を極力防止することができる遊技機を提供することを目的とする。
【課題を解決するための手段】
【０００９】
上記課題を解決するために、本発明の請求項１に記載の遊技機は、
遊技球を用いて遊技を行う遊技機において、
前記遊技球を払い出す払出装置と、該払出装置により払い出される遊技球を貯留するための遊技球貯留部と、該遊技球貯留部に貯留された遊技球を前記払出装置に誘導する貯留球誘導路と、が設けられる第１の機構板部材と、
前記第１の機構板部材とは別個に形成され、前記払出装置から払い出される遊技球を誘導する払出球誘導路が設けられる第２の機構板部材と、
遊技の制御を行う遊技制御手段が設けられた遊技制御基板を収容し、該遊技制御基板を収容するための開口を有するケース本体と、該ケース本体の開口を閉塞するためのケースカバーと、から構成される収容ケースと、
前記ケース本体の開口を前記ケースカバーにより閉塞して固着するための手段であって、前記ケース本体及び／または前記ケースカバーに設けられる固着関連部位を破壊しない限り前記ケース本体に対する前記ケースカバーの固着状態を解除することが出来ない固着手段と、
前記収容ケースを前記第２の機構板部材に取り付けるための手段であって、前記ケース本体及び／または前記ケースカバーに設けられる取付関連部位を破壊しない限り前記収容ケースの前記第２の機構板部材に対する取付状態を解除することが出来ない取付手段と、
を備えることを特徴としている。
この特徴によれば、遊技球を払い出す払出装置に何らかの不具合が発生した場合でも、それに伴い機構板全体を設計変更あるいは交換すること等なく、設計変更や交換を部分的に行うことができるとともに、遊技制御基板を収容した収容ケースを機構板から取り外す必要がないため、遊技制御基板に対する不正行為を極力防止することができる。
【００１０】
本発明の請求項２に記載の遊技機は、請求項１に記載の遊技機であって、
前記固着手段は、
前記ケース本体に対する前記ケースカバーの固着を、前記取付手段による前記収容ケースの前記第２の機構板部材に対する取り付けと共通部材にて行うことを特徴としている。
この特徴によれば、部品点数を少なくすることができるため、製造コストを効果的に低減することができる。
【００１１】
本発明の請求項３に記載の遊技機は、請求項１または２に記載の遊技機であって、
前記遊技機は複数の固着手段を備え、
前記複数の固着手段は、
前記ケース本体に対する前記ケースカバーの固着を、前記取付手段による前記収容ケースの前記第２の機構板部材に対する取り付けと共通部材にて行う第１の固着手段と、
前記ケース本体に対する前記ケースカバーの固着のみを行う第２の固着手段と、
を含むことを特徴としている。
この特徴によれば、遊技制御基板を収容した収容ケースを例えばメーカーから遊技場に配送する際等におけるケースバーの開放を防止できる。
【００１２】
本発明の請求項４に記載の遊技機は、請求項１〜３のいずれかに記載の遊技機であって、
前記払出装置の制御を行う払出制御手段が設けられた払出制御基板を、前記遊技制御基板とともに前記収容ケース内に収容したことを特徴としている。
この特徴によれば、払出制御基板を収容する収容ケースを、遊技制御基板を収容する収容ケースと別個に設ける必要がないので、製造コストを増加させること等なく、遊技制御基板のみならず払出制御基板に対する不正行為を極力防止することができる。
【００１３】
本発明の請求項５に記載の遊技機は、請求項１〜４のいずれかに記載の遊技機であって、
前記遊技機は、前記遊技球を用いて１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能な遊技球を用いたスロットマシンであって、
前記第２の機構板部材に設けられた設置部に設置され、機種固有に使用される前記可変表示装置を含む可変表示ユニットと、
前記可変表示ユニットの前側に設置されるとともに、機種固有の装飾が施される装飾パネルユニットと、
前記装飾パネルユニットを前記可変表示ユニットの前面を被覆した状態で該可変表示ユニットに係止するための手段であって、前記装飾パネルユニットによる前記可変表示ユニットの被覆状態を解除して前記可変表示ユニットの前面を露出させることが可能な係止解除状態と、露出させることが不可能な係止状態と、に切替可能な係止手段と、
前記係止手段を前記係止状態としたまま、前記可変表示ユニットを前記設置部に取り付けるためのユニット取付手段と、を備え、
前記可変表示ユニットが前記設置部に取り付けられた状態で、所定の操作により前記係止手段を前記係止状態から前記係止解除状態へ切替え、前記装飾パネルユニットによる前記可変表示ユニットの被覆状態を解除して前記可変表示ユニットの前面を露出可能に構成されていることを特徴としている。
この特徴によれば、機種変更等に伴う部品等の交換作業を容易に行うことができるばかりか、機種変更時の製造コストを効果的に低減することができる。
【発明を実施するための最良の形態】
【００１４】
本発明の実施例を以下に説明する。
【実施例】
【００１５】
まず、図１は本発明が適用された遊技機の一例である遊技球としてのパチンコ球を用いて遊技を行う遊技機の一例であるパチンコ球を用いたスロットマシン１（以下、スロットマシン１と略称する）並びにカードユニット１５の正面図であり、図２はスロットマシンの構造を示す斜視図であり、図３は可変表示ユニット及び装飾パネルユニットが機構ユニットから分離された状態を示す斜視図であり、図４はスロットマシンの構成を示すブロック図であり、図５は図１のスロットマシン並びにカードユニット１５の背面図であり、図６は上部機構板を開放した状態を示す斜視図であり、図７は収容ケースを示す平面図並びに側面図であり、図８（ａ）は収容ケースに収容される基板を示す概略図であり、図８（ｂ）は収容ケースの開閉状態を示す側面図であり、図９は収容ケースの機構板への取り付け状態を示す横断面図であり、図１０は図９のＡ−Ａ断面図である。
【００１６】
本実施例におけるスロットマシン１は、図１〜図３に示されるように、遊技球としてのパチンコ球を払い出すための各種機構が設けられる機構ユニット９０１と、該機構ユニット９０１に対して分離自在に設置される可変表示ユニット９０３と、可変表示ユニット９０３の前面を被覆するように配置される装飾パネルユニット９０４と、から主に構成されている。機構ユニット９０１は、複数のスロットマシン１を設置するための遊技島に設置固定するための四角枠状に形成された基枠９００に、一側辺を中心に回動自在に枢支されている。
【００１７】
図１に示すように、本実施例としてのスロットマシン１には、外周に複数種の図柄が配列されたリール２Ｌ、２Ｃ、２Ｒが水平方向に並設されており、これらリール２Ｌ、２Ｃ、２Ｒに配列された図柄のうち連続する３つの図柄がスロットマシン１の前面に設けられた透視窓３から見えるように配置されている。
【００１８】
各リール２Ｌ、２Ｃ、２Ｒは、各々対応して設けられたリールモータ３４Ｌ、３４Ｃ、３４Ｒによって回転されることで、各リール２Ｌ、２Ｃ、２Ｒの図柄が透視窓３に連続的に変化しつつ表示されるとともに、各リール２Ｌ、２Ｃ、２Ｒの回転を停止させることで、透視窓３に３つの連続する図柄が表示結果として導出表示されるようになっている。
【００１９】
また、スロットマシン１の前面における透視窓３の下方には、ゲームに使用するパチンコ球を貯留する上皿１２が設けられているとともに、更にその下方には、上皿１２からオーバーフローしたパチンコ球を貯留する下皿１１が設けられている。
【００２０】
また、スロットマシン１には、遊技者所有の遊技用価値としてスロットマシン１内部の記憶部（後述する遊技制御部４１のＲＡＭに設定されたクレジット球カウンタ）に記憶されているパチンコ球数（以下クレジット球数と称す）が表示されるクレジット表示器１４、上皿１２に貯留されたパチンコ球及びクレジット球数を用いて賭数を設定する際に操作される１ＢＥＴスイッチ５及びＭＡＸＢＥＴスイッチ６、これら１ＢＥＴスイッチ５及びＭＡＸＢＥＴスイッチ６の操作により取り込まれたパチンコ球のうち最小単位の賭数設定に必要なパチンコ球数（５球）に満たないために未だ賭数の設定に使用されていない取込済球数が表示される取込済球表示器１６、並設されたカードユニット１５に受付中のプリペイドカードから読み出された有価価値の残額が表示される残額表示器１８、残額表示器１８に表示された有価価値の残額の範囲でパチンコ球の貸出を受ける際に操作される球貸スイッチ１９、並設されたカードユニット１５に受付中のプリペイドカードを返却させる際に操作される返却スイッチ２０、球貸スイッチ１９の検出に基づくカードユニット１５からの要求に応じてクレジット球カウンタに加算されたパチンコ球数（賭数の設定に使用されたパチンコ球数含む）が表示される払出球表示器１７、クレジット球並びに上皿１２に貯留されているパチンコ球を精算する際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、等が設けられている。
【００２１】
また、スロットマシン１の内部には、上皿１２から供給されたパチンコ球を内部に取り込むための取込装置１００や、当該スロットマシン１が設置される遊技島（図示略）等から供給されたパチンコ球を上皿１２または下皿１１に払い出すための払出装置２００（図４、図５参照）が設けられている。
【００２２】
取込装置１００には、取込準備球通路１１０の各条に対応して球切り用のスプロケット（図示略）が設けられており、これらスプロケットが取込モータ１０１（図４参照）の駆動により回転されることで切欠内に入り込んだパチンコ球が１球ずつ下方に排出されるようになっている。また、各条に対応したスプロケットは切欠の位置が互いにずれるように配置されており、双方のスプロケットが同期回転することで交互にパチンコ球が排出されるようになっている。
【００２３】
スプロケットの下方には、振分ソレノイド１０２（図４参照）の励磁または解除により揺動し、スプロケットの回転により排出されたパチンコ球の流下通路を、取込球誘導通路１０８または返却球誘導通路１０９のいずれか一方に切り替えるための流路切替弁（図示略）が設けられている。また取込球誘導通路１０８に繋がる排出口には内部に取り込まれたパチンコ球の通過を検出するための取込球検出スイッチ１０４（図４参照）が設けられているとともに、返却球誘導通路１０９に繋がる排出口には返却球誘導通路１０９を介して下皿１１に排出されるパチンコ球の通過を検出するための返却球検出スイッチ１０５（図４参照）が設けられている。
【００２４】
取込装置１００において上皿１２から供給されたパチンコ球を内部に取り込む場合には、流路切替弁（図示略）を介して流路を取込球誘導通路１０８側にすることで、スプロケットの回転により排出されたパチンコ球が取込球検出スイッチ１０４にて検出された後、取込球誘導通路１０８に排出され、図示しない遊技島内部のアウト球タンクに回収されるようになっている。また、上皿１２のパチンコ球を下皿１１に排出させる場合には、振分ソレノイド１０２の励磁により流路切替弁（図示略）を揺動して返却球誘導通路１０９側にすることで、スプロケットの回転により排出されたパチンコ球が返却球検出スイッチ１０５にて検出された後、返却球誘導通路１０９に排出され、下皿１１に排出されるようになっている。また、返却球誘導通路１０９の所定箇所には、通路内の球詰りを検出する返却球詰り検出スイッチ１１１（図４参照）が設けられており、例えば、下皿１１が満タンのために返却球誘導通路１０９が球詰りを起こしているか否かを検出できる。
【００２５】
本実施例では、遊技島より供給されるパチンコ球、すなわち、払出装置２００により払い出されるパチンコ球が、図５に示されるように、遊技球貯留部としての球タンク２１１内に貯留された後、貯留球誘導路としての貯留球誘導通路２１０にて２条に分流された後、払出装置２００に誘導されて供給されるようになっている。貯留球誘導通路２１０には、各条に対応して供給球検出スイッチ２０５が設けられており、この供給球検出スイッチ２０５により払出装置２００に供給されるパチンコ球として例えば１００球のパチンコ球が待機しているか否かが検出されるようになっている。
【００２６】
払出装置２００には、貯留球誘導通路２１０の各条に対応して、払出モータ２０１の駆動により回転するスプロケット（図示略）が設けられている。また、払出装置２００の下方には、賞球等の払出に基づき回転するスプロケットにより排出されたパチンコ球の通過を検出するための払出球検出スイッチ２０２（図４参照）が設けられており、スプロケットの回転により排出されたパチンコ球が払出球検出スイッチ２０２にて検出された後、払出球誘導路としての払出通路２０８に排出されるようになっている。
【００２７】
払出通路２０８には、上皿１２に連通する連絡口１３（図１参照）が設けられており、払出装置２００から払い出されたパチンコ球は、連絡口１３を通って上皿１２に払い出されるようになっている。また、この連絡口１３は下皿１１に連通する余剰球通路２０９（払出球誘導路）に連設されており、上皿１２に貯留されたパチンコ球が満タンの状態であるために連絡口１３から溢れたパチンコ球が、この余剰球通路２０９の下端に設けられた払出穴９を介して下皿１１に払い出されるようになっている。つまり、払出通路２０８並びに余剰球通路２０９は、払出装置２００から払い出されるパチンコ球を下皿１１に誘導する払出球誘導路を構成している。また、余剰球通路２０９内には、下皿１１に貯留されたパチンコ球が所定量以上となった状態、すなわち満タン状態を検出する払出球詰まり検出スイッチ１１２（図４参照）が設けられており、下皿１１が満タン状態か否かを検出できる。
【００２８】
また、本実施例のスロットマシン１は、図１に示すように、有価価値が記録されたプリペイドカードを受け付けるカードユニット１５と並設されており、前述した球貸スイッチ１９の操作に基づくカードユニット１５からの要求に応じて、受付中のプリペイドカードに記録された有価価値を用いてパチンコ球の貸出を行うことが可能とされている。
【００２９】
本実施例のスロットマシン１においてゲームを行う場合には、まず、上皿１２に貯留されたパチンコ球または遊技者所有の価値として記憶されているクレジット球数を使用して賭数を設定する。賭数を設定するには、ＭＡＸＢＥＴスイッチ６、または１ＢＥＴスイッチ５を操作すれば良い。本実施例では、ＭＡＸＢＥＴスイッチ６が操作されると、上皿１２に貯留されたパチンコ球またはクレジット球数から１ゲームにおいて許容される賭数の最大数である３ＢＥＴ（１ＢＥＴ（最小単位の賭数設定に必要なパチンコ球数）＝５球）分のパチンコ球が取り込まれ、１ＢＥＴボタンが操作されると、上皿１２に貯留されたパチンコ球またはクレジット球数から１ＢＥＴ分のパチンコ球が取り込まれる。
【００３０】
次いで、所定数の賭数が設定されると、設定された賭数に応じて入賞ラインＬ１、Ｌ２、Ｌ２’、Ｌ３、Ｌ３’（図１参照）が有効となり、スタートスイッチ７の操作が有効な状態、すなわち、ゲームが開始可能な状態となる。本実施例では少なくとも賭数として１が設定された時点でゲームが開始可能な状態となる。尚、所定数の賭数とは、少なくとも１以上の賭数であり、２以上の賭数が設定されたとき、例えば、賭数として最大賭数（３）が設定されたときにゲームが開始可能な状態となるようにしても良い。
【００３１】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、表示結果が導出表示される。
【００３２】
そして全てのリール２Ｌ、２Ｃ、２Ｒが停止されることで１ゲームが終了し、賭数に応じて有効化されたいずれかの入賞ラインＬ１、Ｌ２、Ｌ２’、Ｌ３、Ｌ３’上に予め定められた図柄の組合せが各リール２Ｌ、２Ｃ、２Ｒの表示結果として停止した場合には入賞が発生し、その入賞に応じて定められた数のパチンコ球が遊技者に対して付与され、クレジット球数に加算される。また、クレジット球数が上限数（本実施例では２５０）に達した場合には、パチンコ球が直接上皿１２に払い出されるようになっている。
【００３３】
図４は、スロットマシン１の構成を示すブロック図である。スロットマシン１には、遊技制御基板４０、払出制御基板６０、演出制御基板９０、電源基板８４、中継基板８６が主に設けられており、遊技制御基板４０によって主に遊技状態並びにパチンコ球の取込が制御され、払出制御基板６０によってパチンコ球の払出が制御され、演出制御基板９０によって遊技状態に応じた演出が制御される。
【００３４】
遊技制御基板４０には、前述した１ＢＥＴスイッチ５、ＭＡＸＢＥＴスイッチ６、精算スイッチ１０、スタートスイッチ７、ストップスイッチ８Ｌ、８Ｃ、８Ｒ、取込球検出スイッチ１０４、返却球検出スイッチ１０５が接続されているとともに、リール２Ｌ、２Ｃ、２Ｒの基準位置を検出するリールセンサ３５が接続されており、これら接続されたスイッチ、センサの検出信号が入力されるようになっている。
【００３５】
また、遊技制御基板４０には、前述したリールモータ３４Ｌ、３４Ｃ、３４Ｒ、取込モータ１０１、振分ソレノイド１０２、クレジット表示器１４、取込済球表示器１６が接続されており、これら電気部品は、遊技制御基板４０に搭載された後述の遊技制御部４１の制御に基づいて駆動されるようになっている。
【００３６】
遊技制御基板４０には、所定の手順で演算を行うＣＰＵ、ＣＰＵの制御プログラムや各種データテーブル等を格納するＲＯＭ、必要なデータの書き込み及び読み出しを行うＲＡＭを備える遊技制御部４１、遊技制御基板４０に接続されたスイッチ、センサから入力された検出信号が入力されるスイッチ回路４２、リールモータ３４Ｌ、３４Ｃ、３４Ｒや取込モータ１０１の駆動制御を行うモータ回路４３、クレジット表示器１４及び取込済球表示器１６の表示駆動を行う表示駆動回路４４、振分ソレノイドの駆動制御を行うソレノイド駆動回路４５等が搭載されており、遊技制御部４１は、遊技制御基板４０に接続されたスイッチ、センサの検出信号を受けて、ゲームの進行に応じた各種の制御を行う。
【００３７】
払出制御基板６０には、前述した払出球検出スイッチ２０２、供給球検出スイッチ２０５、返却球詰まり検出スイッチ１１１、払出球詰まり検出スイッチ１１２が接続されており、これら接続されたスイッチの検出信号が入力されるようになっている。
【００３８】
また、払出制御基板６０には、前述した払出モータ２０１、払出球表示器１７が接続されており、これら電気部品は、払出制御基板６０に搭載された後述の払出制御部６１による制御に基づいて駆動されるようになっている。
【００３９】
払出制御基板６０には、遊技制御部４１と同様のＣＰＵ、ＲＯＭ、ＲＡＭを備える払出制御部６１、払出制御基板６０に接続された払出モータ２０１の駆動制御を行うモータ回路６２、払出制御基板６０に接続されたスイッチから入力された検出信号が入力されるスイッチ回路６４、払出球表示器１７の表示駆動を行う表示駆動回路６５等、が搭載されており、払出制御部６１は、遊技制御基板４０に搭載された遊技制御部４１から出力される信号や、払出制御基板６０に接続されたスイッチからの検出信号を受けて、パチンコ球の払出を行うための各種の制御を行う。また、払出制御基板６０は、並設されるカードユニット１５と中継基板８６を介して接続されており、払出制御部６１は、カードユニット１５に搭載された制御部（図示略）からの要求に応じてパチンコ球の貸出を行う貸出制御を行う。
【００４０】
演出制御基板９０には、スロットマシン１の前面に配置された液晶表示器５１、遊技効果ＬＥＤ５２、スピーカ５３、５４が接続されており、これら電気部品は、演出制御基板９０に搭載された後述の演出制御部９１による制御に基づいて駆動されるようになっている。
【００４１】
演出制御基板９０には、遊技制御部４１と同様のＣＰＵ、ＲＯＭ、ＲＡＭを備える演出制御部９１、演出制御基板９０に接続された液晶表示器５１の駆動制御を行う液晶駆動回路９２、遊技効果ＬＥＤ５２の駆動制御を行うランプ駆動回路９３、スピーカ５３、５４からの音声出力制御を行う音声出力回路９４等、が搭載されており、演出制御部９１は、遊技制御基板４０に搭載された遊技制御部４１から送信されるコマンドを受けて、演出を行うための各種の制御を行う。
【００４２】
電源ユニット８５に設けられる電源基板８４には、メイン電源をｏｎ／ｏｆｆするメインスイッチ８０と、エラーが生じた場合等において再びゲームを続行可能な状態にリセットするための第２リセットスイッチ８１と、入賞確率を変更可能とする設定スイッチ８３と、遊技場の管理者等が所持する特定のキーを挿入可能な設定キースイッチ８２と、が接続されている。
【００４３】
遊技制御基板４０に搭載された遊技制御部４１は、払出制御基板６０に対して、０〜１００の値を示す払出球数信号、クレジット球数の精算を要求する精算要求信号、パチンコ球の払出を要求する払出要求信号、所定数のパチンコ球数（本実施例では２５球）がクレジット球数へ加算された旨を示す加算結果信号、所定数のパチンコ球数（本実施例では２５球）をクレジット球数へ加算することが可能である旨を示す加算可能信号等を出力する。一方、払出制御基板６０に搭載された払出制御部６１は、遊技制御基板４０に対して、払出装置２００が動作中である旨を示す動作中信号、所定数のパチンコ球数（本実施例では２５球）のクレジット球数への加算を要求する加算要求信号、所定数のパチンコ球数（本実施例では２５球）をクレジット球数へ加算可能か否かの確認を要求する加算確認信号を出力する。
【００４４】
また、払出制御基板６０は、並設されるカードユニット１５と中継基板８６を介して接続されており、払出制御部６１には、カードユニット１５から遊技者による貸出要求操作がなされた旨を示すカードユニットＲＥＡＤＹ信号（ＢＲＤＹ）及びパチンコ球の貸出を要求する貸出要求信号（ＢＲＱ）が入力されるとともに、払出制御部６１からカードユニット１５に対して、貸出制御を行うことが可能な状態を示すスロットマシンＲＥＡＤＹ信号（ＳＲＤＹ）及びＢＲＱに基づくパチンコ球の貸出が正常に完了した旨を示す貸出完了信号（ＥＸＳ）が出力されるようになっており、払出制御部６１は、これらの信号の入出力によって前述した貸出制御を行う。
【００４５】
また、本実施例においては、これらカードユニット１５並びに中継基板８６は払出制御基板６０に接続されていたが、これらカードユニット１５並びに中継基板８６を直接遊技制御基板４０に接続するようにしてもよい。
【００４６】
スロットマシン１に並設されるカードユニット１５には、有価価値が記録されたプリペイドカードを受け付けて、受け付けたプリペイドカードの有価価値を読み取るリーダライタ（図示略）やカードユニット１５の制御を行うマイクロコンピュータが搭載されている。スロットマシン１に搭載された残額表示器１８は、カードユニット１５側の中継基板８６に接続されており、カードユニット１５は、残額表示器１８に対して残額表示制御信号を出力することで受付中のプリペイドカードから読み出された有価価値の残額を表示させる制御を行う。また、スロットマシン１に搭載された球貸スイッチ１９、返却スイッチ２０も中継基板８６に接続されており、これら球貸スイッチ１９の検出信号（球貸操作検出信号）及び返却スイッチ２０の検出信号（返却操作検出信号）がカードユニット１５に入力され、これらの検出信号に基づいて各種の処理を実行する。詳しくは、球貸スイッチ１９の操作が検出されることで、受付中のプリペイドカードから読み出された有価価値が残存することを条件に前述したＢＲＤＹを出力するとともに、複数回にわたり前述したＢＲＱを出力することでスロットマシン１に対してパチンコ球の貸出を要求する処理を行う。また、返却スイッチ２０の操作が検出されることで、受付中のプリペイドカードを返却させる処理を行う。
【００４７】
なお、本実施例においては、入賞の発生に基づく払出や球貸スイッチ１９の検出に基づく貸出を行う場合、遊技制御部４１のＲＡＭに設定された前記図示しないクレジット球カウンタが上限値に達していないときには、該クレジット球カウンタが上限値に達するまで遊技者に対して付与するパチンコ球数をクレジット球カウンタに優先して加算するようになっていたが、遊技者に対して付与するパチンコ球数の全てを、クレジット球カウンタに加算することなく払出装置２００からパチンコ球にて払い出すようにしてもよい。
【００４８】
次に、本実施例におけるスロットマシン１の構造を、図２及び図３に基づいて説明する。スロットマシン１は、図２及び図３に示されるように、パチンコ球を払い出すための各種機構が設けられる機構ユニット９０１と、該機構ユニット９０１に形成された設置用開口部９０２に分離自在に設置される可変表示ユニット９０３と、可変表示ユニット９０３の前面を閉塞するように配置される装飾パネルユニット９０４と、から主に構成されている。また、機構ユニット９０１は、後述するように、第２の機構板部材としてのベース板９０１ａと、第１の機構板部材としての開閉板９０１ｂと、から構成されており、前記設置用開口部９０２はベース板９０１ａに形成されている（図５、図６参照）。
【００４９】
図２に示すように、機構ユニット９０１は、図示しないヒンジ装置を介して基枠９００の左側辺に回動自在に枢支されており、図示しない遊技島に設置固定される基枠９００の開口を開閉出来るようになっている。
【００５０】
本実施例における機構ユニット９０１は、合成樹脂製の板状部材からなり、この前面下部には、下皿１１を有する下段膨出部が形成されているとともに、該下部膨出部の上方には、各種操作部や上皿１２を有する上段膨出部が形成されたカバー体９０６が開閉自在に設けられている。
【００５１】
可変表示ユニット９０３には、前面に配置される装飾パネルユニット９０４を開閉自在とするためのヒンジ装置９３６が上下所定箇所にそれぞれ取り付けられており、装飾パネルユニット９０４が一側辺部を中心として開閉自在、すなわち、装飾パネルユニット９０４により可変表示ユニット９０３の前面を被覆したり、可変表示ユニット９０３の被覆状態を解除して可変表示ユニット９０３の前面を露出させることができるように、回動自在に枢着されている。
【００５２】
装飾パネルユニット９０４におけるヒンジ装置９３６の反対側の側辺部には、装飾パネルユニット９０４を可変表示ユニット９０３の前面を被覆した状態で該可変表示ユニット９０３に係止させるための係止手段である係止爪９３４ａ、９３４ｂと、該係止手段を係止状態としたまま、可変表示ユニット９０３を設置部としての設置用開口部９０２に取り付けるためのユニット取付手段である係止爪９３７ａ、９３７ｂがそれぞれ設けられている。なお、これら係止爪９３４ａ、９３４ｂ、９３７ａ、９３７ｂは、図２に示すように付勢手段としてのバネにより常時下方（係止方向）に向けて付勢されている。
【００５３】
機構ユニット９０１には、図３に示されるように、可変表示ユニット９０３が機構ユニット９０１に設置されているときに、係止爪９３４ａ、９３４ｂの係止状態を解除させて係止解除状態とするための係止解除手段としての突起部９５１ａ、９５１ｂが設けられている。
【００５４】
図２に示すように、可変表示ユニット９０３には、二つの孔部９５３ａ、９５３ｂが形成されており、これら二つの孔部９５３ａ、９５３ｂの間には、可変表示ユニット９０３と機構ユニット９０１とを連結するための連結手段としての結束バンド（図示略）を係止するための連結部９５４が形成されており、該連結部９５４に対応する機構ユニット９０１には、図３に示すように連結用リング部９０９が設けられている。この連結用リング部９０９は、突起状のブロックに前記結束バンドが挿通される上下方向を向く孔が開けられることで形成されている。
【００５５】
図２に示すように、カバー体９０６の後面における端部には、機構ユニット９０１に設けられた下向きの係止爪９１５ａが係脱される縦長の係止穴９１６ａ、９１６ｂが形成されており、該係止穴９１６ａ、９１６ｂに係止爪９１５ａが係止されることにより、カバー体９０６は機構ユニット９０１の下部前面を閉塞した状態で開放不能に係止されるようになっている。
【００５６】
係止爪９１５ａは、機構ユニット９０１の前面に設けられた施錠装置９１８に連係されており、施錠装置９１８のシリンダ錠の前面に形成された鍵穴９１８ａに挿入した所定のキーを、上下方向を向く基準位置から時計回りに約４５度回動操作することにより上昇し、反時計回りに回動操作することにより下降するようになっている。よって、装飾パネルユニット９０４及びカバー体９０６を開放することなくスロットマシン１の前面側から操作可能に設けられた鍵穴９１８ａに挿入した所定のキー（鍵）を操作することで、カバー体９０６を機構ユニット９０１に対して施解錠出来るようになっている。
【００５７】
可変表示ユニット９０３は、図２に示されるように、前述した可変表示装置を構成する各リール２Ｌ、２Ｃ、２Ｒからなるリール体や、前述した演出制御基板９０等を組み付けるためのパネル部材９３０から構成される。
【００５８】
可変表示ユニット９０３は、合成樹脂材により板状に形成されるとともに、板状部の中央部には、各リール体や演出制御基板等を組み付けるための組付け部９３１が後方に向けて膨出するように形成されているとともに、組付け部９３１の上部には、前面に配置される装飾パネルユニット９０４のスピーカ５３、５４や液晶表示器５１等との干渉を避けるための凹部が形成されている。
【００５９】
また、可変表示ユニット９０３には、後述するように装飾パネルユニット９０４の端部に設けられる係止手段としての係止爪９３４ａ、９３４ｂが係脱する縦長の係止穴９３５ａ、９３５ｂが上下所定箇所に形成されており、該係止爪９３４ａ、９３４ｂが係止穴９３５ａ、９３５ｂに係止されることにより、装飾パネルユニット９０４は可変表示ユニット９０３の前面を閉塞した状態で開放不能に係止されるようになっている。
【００６０】
また、可変表示ユニット９０３の係止穴９３５ａ、９３５ｂの近傍には、挿通穴９５０ａ、９５０ｂが形成されており、この挿通穴９５０ａ、９５０ｂには、後述するように装飾パネルユニット９０４に設けられるユニット取付手段としての係止爪９３７ａ、９３７ｂがそれぞれ挿通されるようになっている。挿通穴９５０ａ、９５０ｂ内に挿通された係止爪９３７ａ、９３７ｂは、図３に示すように機構ユニット９０１に設けられた縦長の係止穴９３８ａ、９３８ｂに係止されるようになっており、これら係止爪９３７ａ、９３７ｂが機構ユニット９０１の係止穴９３８ａ、９３８ｂに係止されることにより、装飾パネルユニット９０４が可変表示ユニット９０３の前面を被覆した状態で係止され、この係止作用により装飾パネルユニット９０４及び可変表示ユニット９０３が機構ユニット９０１に取り付けられるようになっている。
【００６１】
また、装飾パネルユニット９０４は、図２に示すように、可変表示ユニット９０３の前面全域を閉塞可能な大きさをなすパネル状に形成されており、その中央部には、リール２Ｌ、２Ｃ、２Ｒを前面から透視可能とする透視窓３が形成されているとともに、機種固有の装飾が施された装飾パネル９４１が、透明なカバーパネルを透して前面に臨むように設けられている。
【００６２】
図３に示されるように、機構ユニット９０１には、図示しない押圧部が、ユニット取付手段としての係止爪９３７ａ、９３７ｂに対応する位置に設けられており、施錠装置９１８のシリンダ錠の前面に形成された鍵穴９１８ａに挿入した所定のキーを、上下方向を向く基準位置から反時計回りに約４５度回動操作することにより押圧部が上昇し、時計回りに約４５度回動操作することにより下降するようになっている。
【００６３】
また、係止手段である係止爪９３４ａ、９３４ｂを係止状態から係止解除状態に切換る係止解除手段としての突起部９５１ａ、９５１ｂが、可変表示ユニット９０３を機構ユニット９０１に設置したときに係止手段である係止爪９３４ａ、９３４ｂに当接するように配置されている。
【００６４】
また、機構ユニット９０１の前面におけるカバー体９０６との対向面には、後述するようにこの機構ユニット９０１の後面側に設けられる電源ユニット８５に設けられる各種スイッチ８０〜８３を前面側に臨ませるための設定開口部９２０が開設されており、カバー体９０６を開放することで、各種スイッチ８０〜８３の設定操作を前面側から行うことができるようになっている。
【００６５】
次に、このように構成されたスロットマシン１において、機種変更等により可変表示ユニット９０３及び装飾パネルユニット９０４を機構ユニット９０１に設置するときの作業工程を説明する。
【００６６】
まず、全てのユニットが遊技可能に組み付けられた状態において、遊技ゲームの進行を制御する遊技制御基板が設けられた可変表示ユニット９０３と、装飾パネルユニット９０４とを機構ユニット９０１に設置させるときには、図３に示されるように、可変表示ユニット９０３の組付け部９３１を設置用開口部９０２内に嵌め込むようにして可変表示ユニット９０３を機構ユニット９０１に設置する。
【００６７】
可変表示ユニット９０３が機構ユニット９０１から分離された状態では、係止手段としての係止爪９３４ａ、９３４ｂは、バネにより常時下方に付勢されて係止穴９３５ａ、９３５ｂに係止されているので、この係止爪９３４ａ、９３４ｂによる係止作用及びヒンジ装置９３６により装飾パネルユニット９０４は、開放不能な状態で可変表示ユニット９０３に一体的に取付けられている。
【００６８】
よって、設置部としての設置用開口部９０２から取外した状態での装飾パネルユニット９０４の開放を規制出来るため、例えばメーカーが新機種に対応した装飾パネルユニット９０４及び可変表示ユニット９０３を遊技場まで運搬するとき、あるいはメーカーが使用しなくなった装飾パネルユニット９０４及び可変表示ユニット９０３を遊技場から回収する際における運搬性が向上する。
【００６９】
装飾パネルユニット９０４と一体の可変表示ユニット９０３を機構ユニット９０１に設置する場合、装飾パネルユニット９０４と一体の可変表示ユニット９０３を設置用開口部９０２内に嵌合させる際の押圧力により、可変表示ユニット９０３の挿通穴９５０ａ、９５０ｂから突出されたユニット取付手段としての係止爪９３７ａ、９３７ｂがバネの付勢力に抗して上方に回動されて、機構ユニット９０１に形成された係止穴９３８ａ、９３８ｂに挿通されて係止される。
【００７０】
同時に、係止手段としての係止爪９３４ａ、９３４ｂが機構ユニット９０１に設けられた係止解除手段としての突起部９５１ａ、９５１ｂに当接することにより上昇され、係止手段としての係止爪９３４ａ、９３４ｂの係止解除状態になる。すなわち、可変表示ユニット９０３を機構ユニット９０１に設置することで、突起部９５１ａ、９５１ｂによって係止爪９３４ａ、９３４ｂが係止解除状態になる。また、可変表示ユニット９０３を機構ユニット９０１に設置させたときに、必要に応じて結束バンドにより両ユニットを連結しておくことが好ましい。
【００７１】
次に、装飾パネルユニット９０４を開放、すなわち、装飾パネルユニット９０４による可変表示ユニット９０３の被覆状態を解除して可変表示ユニット９０３の前面を露出させるときの作業工程を説明すると、可変表示ユニット９０３が機構ユニット９０１に設置された状態では、係止手段としての係止爪９３４ａ、９３４ｂの係止状態が解除されており、装飾パネルユニット９０４は、ユニット取付手段としての係止爪９３７ａ、９３７ｂが機構ユニット９０１に形成された係止穴９３８ａ、９３８ｂに係止されることで可変表示ユニット９０３の前面を閉塞している。
【００７２】
ここで、所定のキーを施錠装置９１８に挿入し、上下方向を向く基準位置から反時計回りに約４５度回動操作することにより、図示しない押圧部が上方に移動されてユニット取付手段としての係止爪９３７ａ、９３７ｂを上方に回動させて係止解除状態へ切替える。そして、装飾パネルユニット９０４を手前に引くことで、係止手段とユニット取付手段である係止爪９３４ａ、９３４ｂ、９３７ａ、９３７ｂが係止穴９３５ａ、９３５ｂ、９３８ａ、９３８ｂから係脱され、装飾パネルユニット９０４をヒンジ装置９３６を介して一側辺を中心として開放し、可変表示ユニット９０３の前面を露出できるようになる。
【００７３】
次に、装飾パネルユニット９０４及び可変表示ユニット９０３を機構ユニット９０１から取外すときの作業工程を説明すると、施錠装置９１８に挿入したキーの回動操作によりユニット取付手段としての係止爪９３７ａ、９３７ｂを係止解除状態へ切替える。そして、装飾パネルユニット９０４及び可変表示ユニット９０３を一緒に手前に引いて機構ユニット９０１から取外すと、ユニット取付手段としての係止爪９３７ａ、９３７ｂが係止穴９３８ａ、９３８ｂから逸脱されて、装飾パネルユニット９０４及び可変表示ユニット９０３が機構ユニット９０１から取外される。
【００７４】
このように装飾パネルユニット９０４及び可変表示ユニット９０３を機構ユニット９０１から取外すことにより、係止手段としての係止爪９３４ａ、９３４ｂが突起部９５１ａ、９５１ｂから離間して当接状態が解除されて係止状態となり、これによりバネにより下方に付勢されて可変表示ユニット９０３の係止穴９３５ａ、９３５ｂに係止されることになるため、装飾パネルユニット９０４を可変表示ユニット９０３の前面を閉塞したまま一体に取外すことができる。
【００７５】
以上説明したように、互いに一体化された可変表示ユニット９０３及び装飾パネルユニット９０４は、図３に示されるように、機構ユニット９０１から互いに一体的に係止した状態で一度に取外すことが出来る。よって、機種変更時等において、装飾パネルユニット９０４や、可変表示ユニット９０３に組み付けられたリール２Ｌ、２Ｃ、２Ｒや演出制御基板の交換作業を効率よく行うことが出来るばかりか、これら作業を機構ユニット９０１から離れた場所で行うことが出来る。あるいは、新機種に対応した新規な可変表示ユニット及び装飾パネルユニットを予め製造して遊技場に搬送しておけば、遊技場において、機種変更等に伴う交換作業を容易に、かつ、迅速に行うことができる。
【００７６】
また、装飾パネルユニット９０４を有する可変表示ユニット９０３を機構ユニット９０１に設置して取り付けた後は、通常時における使用状態となる。このように可変表示ユニット９０３が機構ユニット９０１に設置されているときは、係止手段としての係止爪９３４ａ、９３４ｂが係止解除手段としての突起部９５１ａ、９５１ｂにより係止解除状態とされているが、施錠装置９１８にキーを挿入して回動操作することによりユニット取付手段としての係止爪９３７ａ、９３７ｂの係止状態を係止解除状態に切替えない限り装飾パネルユニット９０４を開放して可変表示ユニット９０３の前面を露出させることは出来ないため、装飾パネルユニット９０４が不正に開放されて不正行為が行われることが防止される。
【００７７】
次に、機構ユニット９０１の後面（背面）構造を、図５及び図６に基づいて説明する。
【００７８】
機構ユニット９０１の後面には、前述したように、遊技球としてのパチンコ球を払い出すための各種機構（払出機構）が設けられている。本実施例においては、図５に示されるように、機構ユニット９０１の後面上部に設けられ、遊技島から供給されるパチンコ球を貯留するための遊技球貯留部としての球タンク２１１と、該球タンク２１１の下部から下流側に向けて延設され、該球タンク２１１に貯留されたパチンコ球を払出装置２００に誘導する貯留球誘導通路２１０と、該貯留球誘導通路２１０により誘導されたパチンコ球を払い出す払出装置２００と、払出装置２００から払い出されたパチンコ球を上皿１２に連通する連絡口１３に誘導するための払出通路２０８と、上皿１２に貯留されたパチンコ球が満タンの状態であるために連絡口１３から溢れたパチンコ球を下皿１１に連通する払出穴９に導く余剰球通路２０９と、が前記パチンコ球を払い出すための払出機構として主に設けられている。なお、２１２は球タンク２１１及び貯留球誘導通路２１０内のパチンコ球を抜き取るための球抜き通路である。
【００７９】
具体的には、本実施例における機構ユニット９０１は、特に図６に示されるように、可変表示ユニット９０３の設置用開口部９０２が中央に形成された第２の機構板部材としてのベース板９０１ａと、該ベース板９０１ａの後面に、蝶番９５０を介して一側辺を中心に開閉自在に設けられた第１の機構板部材としての開閉板９０１ｂと、から構成されている。
【００８０】
前述した払出機構のうち、球タンク２１１、貯留球誘導通路２１０、払出装置２００は、特に図６に示されるように、第１の機構板部材としての開閉板９０１ｂの後面に組み付けられており、払出通路２０８、余剰球通路２０９は、第２の機構板部材としてのベース板９０１ａの下半部に一体形成された膨出部９５１内に形成されている。また、膨出部９５１の後面板９５１ａには、後述する収容ケース５００が取り付けられているとともに、膨出部９５１内には、前述した電源ユニット８４が該膨出部９５１の側面から側方に向けて取り外し自在に配設されている。
【００８１】
開閉板９０１ｂにおける開放側端部には、開閉板９０１ｂをベース板９０１ａに対して閉状態とした際において、ベース板９０１ａの上部に突設された係止ピン９５２に挿通される挿通孔９５３が形成されているとともに、その閉状態を保持するための係止フック９５４が回動可能に設けられている。
【００８２】
膨出部９５１の上面における開閉板９０１ｂ側には、払出通路２０８内に連通する連通口２０８ａ及び球抜き通路２１２の連通口２１２ａが形成されており、開閉板９０１ｂを閉状態とした際において、該連通口２０８ａと払出装置２００内部とが連通するようになっている。
【００８３】
つまり、本実施例におけるパチンコ球を払い出すための各種機構が設けられる機構ユニット９０１は、パチンコ球を払い出す払出装置２００と、該払出装置２００により払い出されるパチンコ球を貯留するための遊技球貯留部としての球タンク２１１と、該球タンク２１１に貯留されたパチンコ球を払出装置２００に誘導する貯留球誘導路としての貯留球誘導通路２１０と、が設けられる第１の機構板部材としての開閉板９０１ｂと、該第１の機構板部材としてのベース板９０１ａとは別個に形成され、前記払出装置２００から払い出されるパチンコ球を誘導する払出球誘導路としての払出通路２０８や余剰球通路２０９が設けられる第２の機構板部材としてのベース板９０１ａと、から構成されている。
【００８４】
また、第２の機構板部材としてのベース板９０１ａに形成された膨出部９５１の後面には、遊技の制御を行う遊技制御手段としての遊技制御部４１が設けられた遊技制御基板４０並びに払出装置２００の払出制御を行う払出制御部６１が設けられた払出制御基板６０を収容するための収容ケース５００が取り付けられている。
【００８５】
ここで、収容ケース５００、及びベース部材５１７、５１８の構造及びベース板９０１ａに形成された膨出部９５１の後面板９５１ａへの取付構造を、図７〜図１０に基づいて詳細に説明する。
【００８６】
まず図７（ａ）、（ｂ）及び図８に示されるように、収容ケース５００は、平面視で略横長四角状に形成され、上面に基板を収容するための開口を有する略箱形のケース本体としての下部ケース５０２と、該下部ケース５０２の開口を閉塞するためのケースカバーとしての略箱形の上部ケース５０１と、から構成されており、これら上部ケース５０１及び下部ケース５０２は、それぞれ透明な合成樹脂材により成形されている。
【００８７】
下部ケース５０２の底板には、内部に収容する遊技制御基板４０並びに払出制御基板６０を支持するための支柱５０３がそれぞれ突設されており、遊技制御基板４０並びに払出制御基板６０が下部ケース５０２内部における底板の上方所定高さ位置に支持されるようになっている。
【００８８】
上部ケース５０１における一方の長側辺には、先端が側面視略Ｕ字状に形成された係止片５０５が外向きに突出するようにそれぞれ２箇所に形成されている。また、下部ケース５０２における一方の長側辺には、係止片５０５を係止可能なガイドバー５０６が形成されており、図８（ｂ）に示されるように、係止片５０５をガイドバー５０６に係止した状態で、該ガイドバー５０６を中心として上部ケース５０１を下部ケース５０２に対して回動させることで、下部ケース５０２の上面開口を開放または閉塞することができるようになっている。
【００８９】
下部ケース５０２におけるガイドバー５０６の反対側の長側辺には、上部ケース５０１における係止片５０５の反対側の長側辺に突設される下向きの係止爪５０８が係止される係止部５０７が形成されている。
【００９０】
上部ケース５０１における一方の短側辺には、後述するワンウェイネジ５０９（図１０参照）を挿通可能とする穴部５１０が内部に形成された第１の固着手段としての封止片５１１ａ〜５１１ｄが４つ突設されている。穴部５１０は、特に図７（ｂ）に示されるように、それぞれ大径部と小径部とから構成されており、これら大径部と小径部との連設部に形成される段部によって、大径部側から挿通されるワンウェイネジ５０９の頭部が係止されるようになっている。
【００９１】
また、上部ケース５０１における一方の長側辺には、ワンウェイネジ５０９（図１０参照）を挿通可能とする穴部５２０が内部に形成された第２の固着手段としての封止片５２１ａ、５２１ｂが、封止片５１１ａ〜５１１ｄとは反対側の端部寄りに２箇所に形成されている。穴部５２０は、特に図７（ｃ）に示されるように、それぞれ大径部と小径部とから構成されており、これら大径部と小径部との連設部に形成される段部によって、大径部側から挿通されるワンウェイネジ５０９の頭部が係止されるようになっている。
【００９２】
また、下部ケース５０２における一方の短側辺には、上部ケース５０１の封止片５１１ａ〜５１１ｄから挿通されるワンウェイネジ５０９のネジ部を螺入可能とする穴部５１５が形成された封止片５１６ａ〜５１６ｄが、複数の封止片５１１ａ〜５１１ｄそれぞれに対応するように外方に向けて複数突設されている。
【００９３】
下部ケース５０２における一方の長側辺には、上部ケース５０１の封止片５２１ａ、５２１ｂから挿通されるワンウェイネジ５０９のネジ部を螺入可能とする穴部５２５が形成された封止片５２６ａ、５２６ｂが、複数の封止片５２１ａ、５２１ｂそれぞれに対応するように外方に向けて複数突設されている。
【００９４】
また、下部ケース５０２の上面開口を上部ケース５０１により閉塞して固着及び収容ケース５００のベース板９０１ａへの取り付けに用いられるワンウェイネジ５０９は従来公知のものが使用されており、特に詳細な図示はしないが、一方向のねじ込みしか出来ず、すなわち、一度ねじ込むと逆方向に回して取り外すことが出来ないように構成されている。
【００９５】
上部ケース５０１は、上面に放熱用の孔部５１３が複数形成されているとともに、上部ケース５０１における図７（ａ）中下側の領域は上側よりも高さが低くなるように形成されている。また、遊技制御基板４０や払出制御基板６０に接続されるコネクタ等を挿通可能とするための横長の開口部５１４が長手方向に形成されている。
【００９６】
このように構成される上部ケース５０１及び下部ケース５０２は、図８中２点鎖線で示されるように、上部ケース５０１の係止片５０５を下部ケース５０２のガイドバー５０６に対して係止させた状態で、上部ケース５０１をガイドバー５０６を中心に時計回りに回転させて上部ケース５０１と下部ケース５０２との互いの開口面を付き合わせると、上部ケース５０１の係止爪５０８が弾性変形して係止部５０７に係止され（図７（ｂ）参照）、下部ケース５０２の上面開口を上部カバー５０１により閉塞した状態で保持されるようになっている。なお、ここで係止爪５０８を変形させて係止部５０７との係止を解除すれば収容ケース５００を再度開放することが出来る。
【００９７】
また、この時、各封止片５１１ａ〜５１１ｄ、５２１ａ、５２１ｂの下面と、それに対応する各々の封止片５１６ａ〜５１６ｄ、５２６ａ、５２６ｂの上面とが互いに当接されるとともに、穴部５１０、５２０と穴部５１５、５２５とがそれぞれ連通される。
【００９８】
また、本実施例においては、収容ケース５００内には、遊技制御基板４０とともに払出制御基板６０が収容されるようになっており、これらは図８（ａ）に示されるように、互いに並設された状態で１つの収容ケース５００内に収容される。その際、これら遊技制御基板４０と払出制御基板６０とは、互いの対向端辺部に設けられた雄雌のコネクタＫ１、Ｋ２を介して基板対基板接続されている。
【００９９】
このように、遊技の制御を行う遊技制御部４１が設けられた遊技制御基板４０を収容する収容ケース５００内に、払出装置２００の制御を行う払出制御部６１が設けられた払出制御基板６０を収容することで、払出制御基板６０を収容する収容ケースを遊技制御基板４０を収容する収容ケース５００と別個に設ける必要がないので、製造コストを増加させること等なく、遊技制御基板４０のみならず払出制御基板６０に対する不正行為を極力防止することができる。
【０１００】
なお、本実施例においては、これら収容ケース５００内に収容される遊技制御基板４０と払出制御基板６０とは、コネクタＫ１、Ｋ２を介して基板対基板接続されているが、ケーブル等を介して配線接続してもよい。この場合、下部ケース５０２に収容されたうちの一方の基板のみを交換する場合等において、一方の配線接続を解除することで一方の基板のみを容易に取り出すことができる。
【０１０１】
このような収容ケース５００は、一般的にメーカーからの出荷時において、遊技制御基板４０並びに払出制御基板６０が下部ケース５０２内に収容された状態で上部ケース５０１の上面開口を下部ケース５０２にて閉塞されるとともに、全ての封止片５１１ａ〜５１１ｄ、５２１ａ、５２１ｂの穴部５１０、５２０内部にワンウェイネジ５０９が上方からそれぞれ挿通され、それぞれのワンウェイネジ５０９のネジ部の先端が、封止片５１１ａ〜５１１ｄ、５２１ａ、５２１ｂの小径部のみに螺入されるとともに、特に２つのうちの一方の封止片５２１ａ、５２１ｂ（本実施例では上部ケース５０１の角部側から２番目の封止片５２１ａ）に螺入されたワンウェイネジ５０９のネジ部の先端のみが、その封止片５２１ａに対応する封止片５２６ａの穴部５２５内に到達されるまで螺入される。
【０１０２】
すなわち、樹脂材により成形される封止片５２１ａの穴部５２０と封止片５２６ａの穴部５２５の内周面が螺入されたワンウェイネジ５０９のネジ部外周に形成された雄ネジ部によりねじ切りされることにより、上部ケース５０１と下部ケース５０２とが、一対の封止片５２１ａ、５２６ａ並びに該封止片５２１ａ、５２６ａに挿通されるワンウェイネジ５０９により、下部ケース５０２の上面開口を上部ケース５０１により閉塞した状態で固着されることになる。つまり、これら封止片５２１ａ（５２１ｂ）、５２６ａ（５２６ｂ）、ワンウェイネジ５０９は、第２の固着手段を構成している。なお、他の封止片５１１ａ〜５１１ｄ、５２１ｂに螺入されたワンウェイネジ５０９は、前述したねじ切り作用により各封止片５１１ａ〜５１１ｄ、５２１ｂ内に保持された状態で、ベース板９０１ａの膨出部９５１の後面に取り付けられることになる。
【０１０３】
また、前述のように出荷時において使用されなかった第２の固着手段としての他方の封止片５２１ｂ、５２６ｂ並びに封止片５２１ｂに保持されたワンウェイネジ５０９は、例えば基板のメーカーへの返品時等において、上部ケース５０１と下部ケース５０２とを固着する際に使用される。このようにこれら第２の固着手段としての封止片５２１ａ、５２６ａ、５２１ｂ、５２６ｂは第１の固着手段としての封止片５１１ａ〜５１１ｂ、５１６ａ〜５１６ｄとは別に収容ケース５００における他の側辺部に形成されていることで、封止片５１１ａ〜５１１ｂ、５１６ａ〜５１６ｄとの区別が明確になるため、遊技場への出荷時やメーカーへの返品時において、ベース板９０１ａへの取り付けに使用する封止片にて閉塞するといった誤作業を防止できる。
【０１０４】
図９には、収容ケース５００を後面板９５１ａに取り付けるための取付部材としてのベース部材５１７、５１８が示されている。
【０１０５】
ベース部材５１７は、収容ケース５００における前記封止片５１１ａ〜５１１ｄ、５１６ａ〜５１６ｄが形成された側の端部を収容出来るように形成されている（図９、１０参照）。その底板５１９には、ベース部材５１７を後面板９５１ａに対して固定するための固定ネジ５２７を挿通する小径孔部及びこの固定ネジ５２７の頭部を収容可能な大径孔部からなる穴部５２８が内部に形成された脚部５２９が、底板５１９の裏面に形成されている。
【０１０６】
ベース部材５１７における外側端部には、収容ケース５００の外側への逸脱を規制する段部５２２（図９参照）が底板５１９より連設されているとともに、この段部５２２における長手方向略中央位置に形成された隆起部５２３（図１０参照）には、前述した封止片５１１ａ〜５１１ｄ内に保持されたワンウェイネジ５０９が螺入される孔部５２４ａ〜５２４ｄ（図１０参照）が、収容ケース５００の４つの封止片５１６ａ〜５１６ｄに対応するように４箇所に形成されており、これら孔部５２４ａ〜５２４ｄにより収容ケース５００の取付部が構成されている。
【０１０７】
ベース部材５１８は、該ベース部材５１８を膨出部９５１に対して固定するための固定ネジ５３７を挿通する小径孔部及びこの固定ネジ５３７の頭部を収容可能な大径孔部からなる穴部５３８が内部に形成された脚部５３９が、底板５３９の裏面に形成されている。
【０１０８】
また、底板５３９の周囲には、収容ケース５００の底板５３９からの逸脱、すなわち、底板５３９の底面上でのスライド移動を規制する側壁５３０が形成されているとともに、側壁５３０の上端には、収容ケース５００のベース部材５１８からの離脱を規制する規制片５３１が内向きに延設されている。
【０１０９】
膨出部９５１の所定箇所には、ベース部材５１７を取り付けるための固定ネジ５２７並びにベース部材５１８を取り付けるための固定ネジ５３７が螺入される孔部を有する取付凹部５４０が凹設されており、これら取付凹部５４０の孔部内に固定ネジ５２７、５３８を螺入することで、ベース部材５１７、５１８が互いに所定距離離間した状態で取り付けられる。
【０１１０】
これらベース部材５１７、５１８に収容ケース５００を取り付ける場合には、収容ケース５００を、図９中実線で示される状態から図中の矢印方向に向けてスライドさせるようにして、収容ケース５００における一方の短辺側（封止片５１１ａ〜５１１ｄ、５１６ａ〜５１６ｄがない短辺側）をベース部材５１８の規制片５３１と底板５３９との間に差し込んだ状態で、下部ケース５０２の下面を、ベース部材５１７、５１８の底面に当接させるようにしてベース部材５１７、５１８上に載置する。
【０１１１】
この状態において、図１０に示されるように、４つの封止片５１６ａ〜５１６ｄの下面が隆起部５２３の上面に当接されるとともに、収容ケース５００のベース部材５１８からの離脱が規制片５３１により防止される。
【０１１２】
ここで、４つの封止片５１１ａ〜５１１ｄのうちのいずれかの封止片５１１ａ〜５１１ｄ（本実施例では封止片５１１ａ、また、封止片は５１１ａから５１１ｂ、５１１ｃ、５１１ｄの順に使用する）内に保持されたワンウェイネジ５０９をねじ込めば、ワンウェイネジ５０９のネジ部が、封止片５１６ａの穴部５１５及びベース部材５１７の孔部５２４ａ内にねじ切り作用により螺入されるため、封止片５１１ａ、５１６ａ並びにワンウェイネジ５０９を介して上部ケース５０１と下部ケース５０２とが開放不能に封止、すなわち、下部ケース５０２の上面開口が上部ケース５０１により閉塞された状態で固着されるとともに、開放不能に固着された上部ケース５０１と下部ケース５０上部ケース５０１とからなる収容ケース５００が、ベース板９０１ａに固定されたベース部材５１７、５１８に取り付けられる。
【０１１３】
すなわち、これら封止片５１１ａ〜５１１ｄ、５１６ａ〜５１６ｄ、ワンウェイネジ５０９は、ケース本体としての下部ケース５０２及び／またはケースカバー５０１に設けられる固着関連部位としての封止片５１１ａ〜５１１ｄ、５１６ａ〜５１６ｄ等を破壊しない限り下部ケース５０２に対する上部ケース５０１の固着状態を解除することが出来ない固着手段を構成するとともに、封止片５１１ａ〜５１１ｄ、５１６ａ〜５１６ｄ、ワンウェイネジ５０９並びにベース部材５１７、５１８は、ケース本体としての下部ケース５０２及び／またはケースカバー５０１に設けられる取付関連部位としての封止片５１１ａ〜５１１ｄ、５１６ａ〜５１６ｄ等を破壊しない限り収容ケース５００の第２の機構板部材としてのベース板９０１ａに対する取付状態を解除することが出来ない取付手段を構成している。
【０１１４】
つまり、前記固着手段としての封止片５１１ａ〜５１１ｄ、５１６ａ〜５１６ｄ、ワンウェイネジ５０９は、下部ケース５０２に対する上部ケース５０１の固着を、収容ケース５００のベース板９０１ａに対する取り付けとワンウェイネジ５０９（共通部材）にて行う固着手段として構成されている。
【０１１５】
この状態において、ベース部材５１７、５１８を膨出部９５１に固定するための固定ネジ５２７、５３７の上方が、これらベース部材５１７、５１８に取り外し不能に固定された収容ケース５００により覆われて、これら固定ネジ５２７、５３７を外部から触れることが出来なくなるため、ベース部材５１７、５１８を容易に取り外すことは困難となる。
【０１１６】
この状態にて収容ケース５００を開放しようとする場合や、収容ケース５００をベース部材５１７、５１８から取り外そうとする場合、ねじ込まれたワンウェイネジ５０９を取り外すことは困難であり、これらワンウェイネジ５０９の螺入された封止片５１１ａ〜５１１ｄ、５２１ａ、５２１ｂ及び封止片５１６ａ〜５１６ｄ、５２６ａ、５２６ｂ等を切り離して切断する等、所定の部位を破壊するなどしない限り開放したり取り外すことは困難であるため、遊技制御基板４０や払出制御基板６０に搭載されているＲＯＭ等を取り替える等の不正行為を効果的に抑制出来るばかりか、仮に取り外された場合にあっても、封止片５１１ａ〜５１１ｄ、５２１ａ、５２１ｂ及び封止片５１６ａ〜５１６ｄ、５２６ａ、５２６ｂ等が切り離されるなどして破壊されることからその痕跡が確実に残るため、不正行為が行われた可能性があることが外観上から容易に判断することが出来る。
【０１１７】
より具体的には、上部ケース５０１と下部ケース５０２とがワンウェイネジ５０９により開放不能に封止された状態では、ワンウェイネジ５０９を取り外すことは出来ず、収容ケース５００の所定の部位を破壊しない限り開放することが出来ないことになる。また、収容ケース５００がワンウェイネジ５０９によりベース部材５１７、５１８に取り外し不能に取り付けられた状態では、ワンウェイネジ５０９を取り外すことは出来ず、収容ケース５００の所定の部位を破壊しない限りベース部材５１７、５１８から取り外すことが出来ないことになる。
【０１１８】
また、このように収容ケース５００の一側辺に形成された複数の封止片５１１ａ〜５１１ｄ、５１６ａ〜５１６ｄのうち、いずれか１つの封止片にワンウェイネジ５０９を螺入し、当該ワンウェイネジ５０９をさらに孔部５２４ａ〜５２４ｄまでねじ込むことで、収容ケース５００の上部ケース５０１と下部ケース５０２とが開放不能、かつ、膨出部９５１から取り外し不能となるため、上部ケース５０１と下部ケース５０２との封止と収容ケース５００のベース板９０１ａへの取り付けとを、複数箇所の封止片にワンウェイネジ５０９を螺入することなく、簡単な作業で収容ケース５００の取付けを行うことが出来る。
【０１１９】
また、本実施例における収容ケース５００に形成された封止片５１１ａ〜５１１ｄ、５１６ａ〜５１６ｄは、ケース本体としての下部ケース５０２及び／またはケースカバー５０１に設けられる固着関連部位としての封止片５１１ａ〜５１１ｄ、５１６ａ〜５１６ｄ等を破壊しない限り下部ケース５０２に対する上部ケース５０１の固着状態を解除することが出来ない固着手段と、ケース本体としての下部ケース５０２及び／またはケースカバー５０１に設けられる取付関連部位としての封止片５１１ａ〜５１１ｄ、５１６ａ〜５１６ｄ等を破壊しない限り収容ケース５００の第２の機構板部材としてのベース板９０１ａに対する取付状態を解除することが出来ない取付手段とを兼ねているため、収容ケース５００の閉塞、及び膨出部９５１への取付けを容易に行うことが出来るばかりか、収容ケース５００はワンウェイネジ５０９による後面板９５１ａへの取付けにより開放不能に封止されるため、作業性が向上する。また、部品点数を少なくすることができるため、製造コストを効果的に低減することができる。
【０１２０】
また、収容ケース５００には、第１の固着手段としての封止片５１１ａ〜５１１ｄ、５１６ａ〜５１６ｄが複数設けられているため、検査等の何らかの要因で収容ケース５００を開放したり後面板９５１ａから取り外した場合においても、開放や取り外しの際に破断されなかった封止片５１１ａ〜５１１ｄ、５１６ａ〜５１６ｄを利用することにより再度収容ケース５００を開放不能に、かつ後面板９５１ａに取り外し不能に取り付けることが出来る。
【０１２１】
また、収容ケース５００には、ケース本体としての下部ケース５０２に対するケースカバーとしての上部ケース５０１の固着のみを行う第２の固着手段としての封止片５２１ａ、５２１ｂが、前記第１の固着手段としての封止片５１１ａ〜５１１ｄ、５１６ａ〜５１６ｄとは別個に複数設けられているため、遊技制御基板４０並びに払出制御基板６０を収容した収容ケース５００をメーカーから遊技場に出荷する際のみならず、何らかの要因で遊技場からメーカーへ返品する際等においても、上部ケース５０１と下部ケース５０２とを開放不能な状態で配送することができるため、配送時における不正行為を防止できる。
【０１２２】
さらに、これら封止片５１１ａ〜５１１ｄ、５２１ａ、５２１ｂや封止片５１６ａ〜５１６ｄ、５２６ａ、５２６ｂは、上部ケース５０１及び下部ケース５０２の側方より突出するように形成されていることから、取り外しや開放を必要とする際に遊技制御基板４０や払出制御基板６０を覆う重要な部位を破壊することなく、封止片５１１ａ〜５１１ｄ、５２１ａ、５２１ｂや封止片５１６ａ〜５１６ｄ、５２６ａ、５２６ｂを切り離すようにして取り外しや開放を行えるため、収容ケース５００を繰り返し使用することが可能となる。
【０１２３】
また、このように下部ケース５０２の上面開口を上部ケース５０１により閉塞して固着するための固着手段や、これらケースからなる収容ケース５００をベース部材５１７、５１８に対して取り付けるための取付手段の一部を構成する共通部材としてのワンウェイネジ５０９は、これに限らず種々に変形可能であり、例えば、特に図示しないが従来公知のブラインドリベット等を用いても、前記ワンウェイネジ５０９を用いた場合と同様の作用、効果を得ることが出来る。
【０１２４】
なお、本実施例における収容ケース５００の封止片５１１ａ〜５１１ｄ、５１６ａ〜５１６ｄ並びにこれら封止片に螺入されるワンウェイネジ５０９は、固着手段と取付手段との双方の機能を兼ねる手段として構成されていたが、本発明はこれに限定されるものではなく、これら固着手段と取付手段とが別々に構成されていてもよい。具体的には、上部ケース５０１と下部ケース５０２とを開放不能に封止するための封止片やワンウェイネジと、上部ケース５０１と下部ケース５０２とからなる収容ケース５００を後面板９５１ａに対して取り外し不能に取り付ける封止片やワンウェイネジとをそれぞれ別個にしてもよい。
【０１２５】
また、収容ケース５００には、払出制御基板６０を収容する収容ケースを、遊技制御基板４０を収容する収容ケース５００と別個に設ける必要がないので、製造コストを増加させること等なく、遊技制御基板４０のみならず払出制御基板６０に対する不正行為を極力防止することができる。。
【０１２６】
また、収容ケース５００の膨出部９５１への取り付け後において、収容ケース５００の開放や、ベース部材５１７、５１８からの取り外しが行われると、前述したように開放や取り外しの際には封止片５１１ａ〜５１１ｄ、５２１ａ、５２１ｂ、５１６ａ〜５１６ｄ、５２１ａ、５２１ｂ等が破断されて、破断された封止片５１１ａ〜５１１ｄ、５２１ａ、５２１ｂ、５１６ａ〜５１６ｄ、５２１ａ、５２１ｂが、これらを挿通してベース部材５１７の孔部５２４ａ〜５２４ｄ内に螺入されたワンウェイネジ５０９とともにベース部材５１７側に取付けられた状態で残ることになる。
【０１２７】
従って、開放や取り外しが封止片５１１ａ〜５１１ｄ、５２１ａ、５２１ｂの取付け数に相当する回数（本実施例では４回）以上行われる場合や、あるいは新規な収容ケース５００に交換する場合等においては、収容ケース５００の取り付けの際に、ベース部材５１７に残された封止片５１１ａ〜５１１ｄ、５２１ａ、５２１ｂ、５１６ａ〜５１６ｄ、５２１ａ、５２１ｂやワンウェイネジ５０９が邪魔になるため、ベース部材５１７を交換する必要があるが、本実施例におけるベース部材５１７は、収容ケース５００が取り外された状態で、固定ネジ５２７を取り外すことで新規なベース部材５１７に容易に交換することが出来る。
【０１２８】
以上説明してきたように、本発明の実施例としてのスロットマシン１にあっては、遊技球としてのパチンコ球を払い出すための払出機構のうち、特に構造が複雑であり、各種通路等に比較して不具合等が発生しやすい払出装置２００に何らかの不具合が発生した場合でも、機構板としての機構ユニット９０１が、第１の機構板部材としての開閉板９０１ｂと、該開閉板９０１ｂとは別個に形成される第２の機構板部材としてのベース板９０１ａと、から構成されているため、不具合の発生に伴い機構ユニット９０１全体を設計変更あるいは交換すること等なく、設計変更や交換を部分的に行うことができる。具体的には、払出装置２００が設けられる開閉板９０１ｂの設計変更や交換等で済む。また、このような不具合の発生に伴う設計変更や交換に伴って、遊技制御基板４０や払出制御基板６０を収容した収容ケース５００を機構ユニット９０１から取り外す必要がないため、取り外したときに不正な改造が施された遊技制御基板４０や払出制御基板６０を収容した収容ケースにすり替えるといった不正行為を極力防止することができ、安全性が向上する。
【０１２９】
また、本実施例における開閉板９０１ｂは、ベース板９０１ａに対して蝶番９５０を介して一側辺を中心に開閉自在に設けられているため、払出装置２００の点検等を、ベース板９０１ａから分離させた状態で行うことができるため、メンテナンス性が向上する。
【０１３０】
前記実施例における各要素は、本発明に対して以下のように対応している。
【０１３１】
本発明の請求項１は、遊技球（パチンコ球）を用いて遊技を行う遊技機（スロットマシン１）において、前記遊技球を払い出す払出装置（２００）と、該払出装置により払い出される遊技球を貯留するための遊技球貯留部（球タンク２１１）と、該遊技球貯留部に貯留された遊技球を前記払出装置に誘導する貯留球誘導路（貯留球誘導通路２１０）と、が設けられる第１の機構板部材（開閉板９０１ｂ）と、前記第１の機構板部材とは別個に形成され、前記払出装置から払い出される遊技球を誘導する払出球誘導路（払出通路２０８、余剰球通路２０９）が設けられる第２の機構板部材（ベース板９０１ｂ）と、遊技の制御を行う遊技制御手段（遊技制御部４１）が設けられた遊技制御基板（４０）を収容し、該遊技制御基板を収容するための開口を有するケース本体（下部ケース５０２）と、該ケース本体の開口を閉塞するためのケースカバー（上部ケース５０１）と、から構成される収容ケース（５００）と、前記ケース本体の開口を前記ケースカバーにより閉塞して固着（封止）するための手段であって、前記ケース本体及び／または前記ケースカバーに設けられる固着関連部位（収容ケース５００、封止片５１１ａ〜５１１ｄ、５１６ａ〜５１６ｄ、５２１ａ、５２１ｂ、５２６ａ、５２６ｂ）を破壊しない限り前記ケース本体に対する前記ケースカバーの固着状態を解除することが出来ない固着手段（封止片５１１ａ〜５１１ｄ、５１６ａ〜５１６ｄ、５２１ａ、５２１ｂ、５２６ａ、５２６ｂ、ワンウェイネジ５０９）と、前記収容ケースを前記第２の機構板部材に取り付けるための手段であって、前記ケース本体及び／または前記ケースカバーに設けられる取付関連部位（収容ケース５００、封止片５１１ａ〜５１１ｄ、５１６ａ〜５１６ｄ）を破壊しない限り前記収容ケースの前記第２の機構板部材に対する取付状態を解除することが出来ない取付手段（封止片５１１ａ〜５１１ｄ、５１６ａ〜５１６ｄ、ワンウェイネジ５０９、ベース部材５１７、５１８）と、を備える。
【０１３２】
本発明の請求項２は、前記固着手段（封止片５１１ａ〜５１１ｄ、５１６ａ〜５１６ｄ、ワンウェイネジ５０９）は、前記ケース本体（下部ケース５０２）に対する前記ケースカバー（上部ケース５０１）の固着を、前記取付手段（封止片５１１ａ〜５１１ｄ、５１６ａ〜５１６ｄ、ワンウェイネジ５０９）による前記収容ケース（５００）の前記第２の機構板部材（ベース板９０１ｂ）に対する取り付けと共通部材（ワンウェイネジ５０９）にて行う。
【０１３３】
本発明の請求項３は、前記遊技機は複数の固着手段（封止片５１１ａ〜５１１ｄ、５１６ａ〜５１６ｄ、５２１ａ、５２１ｂ、５２６ａ、５２６ｂ、ワンウェイネジ５０９）を備え、前記複数の固着手段は、前記ケース本体（下部ケース５０２）に対する前記ケースカバー（上部ケース５０１）の固着を、前記取付手段（封止片５１１ａ〜５１１ｄ、５１６ａ〜５１６ｄ、ワンウェイネジ５０９）による前記収容ケース（５００）の前記第２の機構板部材（ベース板９０１ｂ）に対する取り付けと共通部材（ワンウェイネジ５０９）にて行う第１の固着手段（封止片５１１ａ〜５１１ｄ、５１６ａ〜５１６ｄ、ワンウェイネジ５０９）と、前記ケース本体に対する前記ケースカバーの固着のみを行う第２の固着手段（封止片５２１ａ、５２１ｂ、５２６ａ、５２６ｂ、ワンウェイネジ５０９）と、を含む。
【０１３４】
本発明の請求項４は、前記払出装置（２００）の制御を行う払出制御手段（払出制御部６１）が設けられた払出制御基板（６０）を、前記遊技制御基板（４０）とともに前記収容ケース（５００）内に収容した。
【０１３５】
本発明の請求項５は、前記遊技機は、前記遊技球を用いて１ゲームに対して賭数を設定することによりゲームが開始可能となるとともに、表示状態を変化させることが可能な可変表示装置（リール２Ｌ、２Ｃ、２Ｒ）の表示結果が導出表示されることにより１ゲームが終了し、該可変表示装置の表示結果に応じて所定の入賞が発生可能な遊技球を用いたスロットマシン（１）であって、前記第２の機構板部材（ベース板９０１ｂ）に設けられた設置部（設置用開口部９０２）に設置され、機種固有に使用される前記可変表示装置を含む可変表示ユニット（９０３）と、前記可変表示ユニットの前側に設置されるとともに、機種固有の装飾が施される装飾パネルユニット（９０４）と、前記装飾パネルユニットを前記可変表示ユニットの前面を被覆した状態で該可変表示ユニットに係止するための手段であって、前記装飾パネルユニットによる前記可変表示ユニットの被覆状態を解除して前記可変表示ユニットの前面を露出させることが可能な係止解除状態と、露出させることが不可能な係止状態と、に切替可能な係止手段（係止爪９３４ａ、９３４ｂ／係止穴９３５ａ、９３５ｂ）と、前記係止手段を前記係止状態としたまま、前記可変表示ユニットを前記設置部に取り付けるためのユニット取付手段（係止爪９３７ａ、９３７ｂ／挿通穴９５０ａ、９５０ｂ）と、を備え、前記可変表示ユニットが前記設置部に取り付けられた状態で、所定の操作により前記係止手段を前記係止状態から前記係止解除状態へ切替え、前記装飾パネルユニットによる前記可変表示ユニットの被覆状態を解除（開放）して前記可変表示ユニットの前面を露出可能に構成されている。
【０１３６】
以上、本発明の実施例を図面により説明してきたが、具体的な構成はこれら実施例に限られるものではなく、本発明の要旨を逸脱しない範囲における変更や追加があっても本発明に含まれる。
【０１３７】
例えば、前記実施例では、機構板としての機構ユニット９０１は、ベース板９０１ａと開閉板９０１ｂとの２つの機構板部材にて構成されていたが、例えば２つの機構板部材がさらに２以上の機構板部材に分割形成されていてもよい。
【０１３８】
また、開閉板９０１ｂは一側辺を中心にベース板９０１ａに対して開閉自在に設けられていたが、単にベース板９０１ａに対して着脱自在に設けられていてもよい。
【０１３９】
さらに、開閉板９０１ｂに払出装置２００から払い出されるパチンコ球を誘導する払出球誘導路としての払出通路２０８の一部が形成されていてもよい。
【０１４０】
また、前記実施例における機構ユニット９０１のベース板９０１ａは、可変表示ユニット９０３を設置するための設置用開口部９０２が形成されていたが、設置用開口部９０２を形成する部材と機構ユニット９０１とが別個に形成されていてもよい。
【０１４１】
また、前記実施例における収容ケース５００は、遊技制御基板４０とともに払出制御基板６０を収容する収容空間を有するケースであるが、例えば収容ケース５００内部空間を仕切板等により分割し、各々の基板を仕切板により仕切った状態で収容してもよく、このようにすれば、いずれかの基板への不正行為が他方の基板に及ぶことを極力防止することができる。
【図面の簡単な説明】
【０１４２】
【図１】パチンコ球を用いたスロットマシン１並びにカードユニット１５の正面図である。
【図２】スロットマシンの構造を示す斜視図である。
【図３】可変表示ユニット及び装飾パネルユニットが機構ユニットから分離された状態を示す斜視図である。
【図４】スロットマシンの構成を示すブロック図である。
【図５】図１のスロットマシン並びにカードユニット１５の背面図である。
【図６】上部機構板を開放した状態を示す斜視図である。
【図７】収容ケースを示す平面図並びに側面図である。
【図８】（ａ）は収容ケースに収容される基板を示す概略図であり、（ｂ）は収容ケースの開閉状態を示す側面図である。
【図９】収容ケースの機構板への取り付け状態を示す横断面図である。
【図１０】図９のＡ−Ａ断面図である。
【符号の説明】
【０１４３】
１                スロットマシン
４０              遊技制御基板
６０              払出制御基板
２００            払出装置
２０８            払出通路
２０９            余剰球通路
２１０            貯留球誘導通路
２１１            球タンク
５００            収容ケース
５１１ａ〜５１１ｄ  封止片
５１６ａ〜５１６ｄ  封止片
５２１ａ、５２１ｂ  封止片
５２６ａ、５２６ｂ  封止片
５１７、５１８    取付ベース
５０９            ワンウェイネジ
９０１            機構ユニット
９０１ａ          ベース板
９０１ｂ          開閉板
【図１】
2005323873.tif 000003
【図２】
2005323873.tif 000004
【図３】
2005323873.tif 000005
【図４】
2005323873.tif 000006
【図５】
2005323873.tif 000007
【図６】
2005323873.tif 000008
【図７】
2005323873.tif 000009
【図８】
2005323873.tif 000010
【図９】
2005323873.tif 000011
【図１０】
2005323873.tif 000012